(57)【要約】      （修正有）【課題】山留工事における親杭を油圧ジャッキによって地中へ圧入する際に、人力を殆ど要さずに親杭の傾きを防止し、安全且つ正確に見栄えよく圧入できる親杭圧入補助具を提供する。【解決手段】長さ方向の先端部２１ａが内側に湾曲した本体部２１と、その長さ方向の中央より基端部２１ｂ寄りの内側の面から突出して幅方向に沿って固着された内側駒部２２と、本体部２１のさらに基端部２１ｂ寄りの外側の面から外方に張り出し、幅方向に沿って延びる地盤圧力受部２３とを備え、それらの各部がすべて鋼材からなり、一体に固着されている親杭圧入用補助具２０を、地面１に鉛直に位置決め保持された親杭１１の下端部１１ａの、敷鉄板１０に当接した側面１１ｂと反対側の側面１１ｃ側の下端エッジ部１１ｄに、本体部２１の先端部２１ａの内側の面を当接させて、親杭１１の下端の下側に斜めに挿入した状態で、油圧ジャッキによる親杭１１の圧入を開始する。【選択図】図７
2019027106.tif 000002
【特許請求の範囲】
【請求項１】
所定の長さと幅及び厚さを有し、長さ方向の先端部が内側に湾曲した本体部と、
該本体部の前記長さ方向の中央より前記先端部と反対側の基端部寄りの内側の面から突出して幅方向に沿って固着された内側駒部と、
前記本体部の前記内側駒部よりさらに前記基端部寄りの外側の面から外方に張り出し、前記幅方向に沿って延びる地盤圧力受部とを備え、
前記本体部と前記内側駒部及び前記地盤圧力受部がすべて鋼材からなり、一体に固着されていることを特徴とする親杭圧入用補助具。
【請求項２】
前記本体部、前記内側駒部、前記地盤圧力受部のうちの何れか１箇所以上の上部にワイヤ若しくはチエン挿通用又はフック引掛け用の穴明き金具を固着したことを特徴とする請求項１に記載の親杭圧入用補助具。
【請求項３】
請求項１又は２に記載の親杭圧入用補助具を使用し、油圧ジャッキによって親杭を地中へ圧入する親杭圧入方法であって、
Ｈ型鋼等の親杭を鉛直に保持し、その下端部付近の一側面を地面に敷設した敷鉄板の側縁に当接させて地面の目標位置に位置決めし、
該親杭の下端部の前記敷鉄板に当接した側面と反対側の側面側の下端エッジ部に、前記親杭圧入用補助具の前記本体部の湾曲した先端部の内側の面を当接させて、該先端部を前記親杭の下端の下側に斜めに挿入し、
その後、前記油圧ジャッキによる前記親杭の地中への圧入を開始し、その圧入に伴なって、前記親杭圧入用補助具の前記先端部が前記親杭に押されて、前記内側駒部が前記親杭の前記下端エッジ部側の側面に当接するように回動しながら引き込まれ、
その後さらに、前記親杭圧入用補助具の前記地盤圧力受部が地盤から上方への圧力を受け、前記先端部が前記親杭の下端から外れて、前記本体部が前記親杭と平行な状態になって該親杭に前記内側駒部を摺接させながら、前記親杭圧入用補助具がそれ以上下降せずに該親杭の傾きを防止することを特徴とする親杭圧入方法。
【発明の詳細な説明】
【技術分野】
【０００１】
この発明は、建設現場での山留工事に関し、特に親杭圧入用補助具及びそれを使用する親杭圧入方法に関する。
【背景技術】
【０００２】
ビル等の地下室や地下建造物等を建設する場合、地面を掘削したときに周囲の土砂が崩壊するのを防止するために山留工事を行う必要がある。
その山留工事には、親杭横矢板工法、シートパイル（鋼矢板）工法、地中連続壁工法等の種々の工法があり、工事現場の土質、地下水位、周辺の建築物等の条件や予算等を考慮して、その工法が決定される。
【０００３】
最も多く採用されているのが親杭横矢板工法であり、地中にＨ型鋼やレール等の親杭を、工事領域の外縁に沿って一定の間隔で打ちこみ、その隣接する親杭間に横矢板と言われる板を人手で嵌めていく工法である。
その親杭の地中への打ち込みを、以前は、自走式杭打機（二本子によるモンケン直打ち）を用いて、リーダに沿って１トン又は２トンのモンケン（重り）を吊下げ、それを親杭であるＨ鋼やレールに被せたガイド付きのキャップ上に落として行っていた。
そのため、かなりの騒音と振動が発生し、近隣の住民から苦情が寄せられていた。
【０００４】
そこで、近年では油圧ジャッキ圧入工法とセメントミルク工法が主流になっている。地盤の硬度を示すＮ値が低い場合には、費用の面で安上がりな前者が多用されている。
その油圧ジャッキ圧入工法は、例えば特許文献１に記載されているように、地上に立設固定したリーダに油圧ジャッキ（サイレントジャッキとも称される）を並設し、その油圧ジャッキのシリンダの下端に設けたチャックによって親杭を挟持し、油圧によるシリンダとチャックの繰り返し動作によって親杭を地中に圧入（打杭）する。
この工法によれば、全油圧式で親杭を地中に圧入するため、騒音及び振動の発生が非常に少なく、市街地での施工に好適である。しかも、作業能率がよく、狭い土地での作業も容易である。
【０００５】
上述した油圧ジャッキ圧入工法によって親杭を地中に圧入（打杭）する場合、親杭はラフタークレーンの孫ワイヤでリーダに沿って吊り下げられ、油圧ジャッキのチャックに挿入されて、その下端部が地面の目標位置に位置決めされるだけであるから、油圧ジャッキによる地中への圧入の過程で、手元とラフタークレーンのオペレータの双方、又は片方の対応が不正確であると、親杭が鉛直に圧入されずに幾分傾いて圧入されることになる。
親杭が傾いて圧入されると、横矢板を嵌め込むのが困難になったり、施工後の外観が不揃いになり見た目が悪くなる。そのため、各親杭をそれぞれ目標位置に鉛直に圧入する必要がある。
【０００６】
そこで、地面の掘削予定領域の内側に敷鉄板を設置し、その一側縁が親杭の圧入目標位置の内縁に沿うようにして定規とする。そして、その敷鉄板の一側縁に親杭の内側の面（うちづら）を当接させ、外側の面（そとづら）と地面との間にスコップ型の幅寄せ駒やバール等を挿入して、作業員(山留杭工）が人力で親杭を敷鉄板の定規に常時押し付けて離れないようにしながら、油圧ジャッキによる親杭の圧入を行っていた。
【先行技術文献】
【特許文献】
【０００７】
【特許文献１】特許第２７０６８９４号公報
【発明の概要】
【発明が解決しようとする課題】
【０００８】
しかし、この方法では、作業員の経験と勘に頼るところが大きいため、バラツキが生じやすく、作業員の負担が大きい。また、親杭の圧入に伴なって、挿入した幅寄せ駒やバールが地中に引き込まれ、親杭を敷鉄板に押し付ける機能を果たせなくなるばかりか、引き揚げて再使用することもできなくなってしまうことがある。それを防ぐためには、親杭の圧入作業中作業員がその引き込み力に抗して駒やバールをずっと保持していなければならず、多大な労力を要した。あわせて、先の段取りへ進んでいけない弱点があった。
また、敷鉄板の重量が十分大きくないと、親杭の圧入工程中に敷鉄板が動いてしまい、定規の役目を果たせなくなることがあった。
【０００９】
この発明は上記のような問題を解決するためになされたものであり、山留工事における親杭を油圧ジャッキによって地中へ圧入する際に、人力を殆ど要さずに親杭を敷鉄板の定規に押し付けて傾きを防止でき、地中に引き込まれることがなく、敷鉄板を動かすこともない親杭圧入用補助具を提供し、それを使用した高能率な親杭圧入方法も提供することを目的とする。
【課題を解決するための手段】
【００１０】
この発明による親杭圧入用補助具は上記の目的を達成するため、所定の長さと幅及び厚さを有し、長さ方向の先端部が内側に湾曲した本体部と、その本体部の上記長さ方向の中央より上記先端部と反対側の基端部寄りの内側の面から突出して幅方向に沿って固着された内側駒部と、上記本体部の上記内側駒部よりさらに上記基端部寄りの外側の面から外方に張り出し、上記幅方向に沿って延びる地盤圧力受部とを備え、上記本体部と内側駒部及び地盤圧力受部がすべて鋼材からなり、一体に固着されていることを特徴とする。
上記本体部、内側駒部、地盤圧力受部のうちの何れか１箇所以上の上部にワイヤ若しくはチエン挿通用又はフック引掛け用の穴明き金具を固着すると、設置及び引き抜き操作に便利である。
【００１１】
この発明による親杭圧入方法は、上記親杭圧入用補助具を使用し、油圧ジャッキによって親杭を地中へ圧入する親杭圧入方法であって、Ｈ型鋼等の親杭を鉛直に保持し、その下端部付近の一側面を地面に敷設した敷鉄板の側縁に当接させて地面の目標位置に位置決めし、その親杭の下端部の上記敷鉄板に当接した側面と反対側の側面側の下端エッジ部に、上記親杭圧入用補助具の上記本体部の湾曲した先端部の内側の面を当接させて、その先端部を上記親杭の下端の下側に斜めに挿入し、その後、上記油圧ジャッキによる上記親杭の地中への圧入を開始し、その圧入に伴なって、上記親杭圧入用補助具の先端部が上記親杭に押されて、上記内側駒部が上記親杭の下端エッジ側の部側面に当接するように回動しながら引き込まれ、その後さらに、上記親杭圧入用補助具の地盤圧力受部が地盤から上方への圧力を受け、上記先端部が上記親杭の下端から外れて、上記本体部が上記親杭と平行な状態になってその親杭に上記内側駒部を摺接させながら、上記親杭圧入用補助具がそれ以上下降せずに親杭の傾きを防止することを特徴とする。
【発明の効果】
【００１２】
この発明による親杭圧入用補助具及びそれを使用した親杭圧入方法によれば、山留工事における親杭を油圧ジャッキによって地中へ圧入する際に、人力を殆ど要さずに親杭を敷鉄板の定規に押し付けて傾きを防止でき、親杭圧入用補助具が地中に引き込まれることがなく、敷鉄板を動かすこともない。それによって、多数の親杭を能率よく且つ傾きなく圧入することができる。
【図面の簡単な説明】
【００１３】
【図１】この発明を適用する油圧ジャッキ圧入工法による親杭圧入作業の一例を示す概要図である。
【図２】図１における油圧ジャッキ取付け部の拡大図である。
【図３】この発明による親杭圧入用補助具の第１実施形態を示す斜視図である。
【図４】この発明による親杭圧入用補助具の第２実施形態を示す斜視図である。
【図５】この発明による親杭圧入用補助具の第３実施形態を示す斜視図である。
【図６】この発明による親杭圧入用補助具の第４実施形態を示す斜視図である。
【図７】この発明による親杭圧入用補助具を使用する親杭圧入方法の第１の実施形態の工程を示す図である。
【図８】この発明による親杭圧入用補助具を使用する親杭圧入方法の第２の実施形態の工程を示す図である。
【発明を実施するための形態】
【００１４】
以下、この発明を実施するための形態を図面に基づいて具体的に説明する。
〔油圧ジャッキ圧入工法の概要〕
先ず、この発明を適用する山留工事における親杭の油圧ジャッキ圧入工法（サイレントジャッキ圧入工法）の概要について、図１及び図２によって説明する。
【００１５】
図１は油圧ジャッキ圧入工法による親杭圧入作業の一例を示す概要図であり、山留工事を施工する地面１の掘削予定領域上に、ラフタクレーン２を搭載した車両３を乗り入れて位置決め固定する。そのラフタクレーン２は、複数段に伸長可能なブーム４を旋回且つ俯仰自在に備えている。そして、そのブーム４の先端部に支持された上部シーブ５を介して鋼製柱状のリーダ６を懸垂し、そのリーダ６を地面１の親杭を圧入する目標位置の内側の所定位置に鉛直に立設する。「鉛直」とは、物体を釣り下げた糸の方向である重力の方向であって、水平面に対して垂直であり、地面が水平な場合は地面に対しても垂直になる。
【００１６】
そのリーダ６の下部の外側の側面には、図２に拡大して示すように、油圧ジャッキ（サイレントジャッキ）７が取付けられている。その油圧ジャッキ７は、ロッド７１とシリンダ７２及びチャック７３を有し、ロッド７１の上端は取付具７５によってリーダ６の側面に固定されている。シリンダ７２は、摺動金具７６，７７を介してリーダ６の側面に摺動可能に支持されており、その下端部にチャック７３を備えている。
この例では、リーダ６の内側の側面に、オーガ８を垂下したオーガモータ部９をリーダ６に沿って上下方向に摺動移動可能に設けている。
【００１７】
図１では図示を省略しているが、図２に示す１０は定規として使用する敷鉄板であり、山留工事を施工する地面１の掘削予定領域の内側に、その一側縁が親杭の圧入目標位置に沿うように設置され、その敷鉄板１０上にリーダ６が立設される。敷鉄板１０の１枚のサイズは、一般に１．５ｍ×６ｍで厚さ２２ｍｍ程度である。
【００１８】
そして、地中に圧入すべきＨ型鋼又はレール（Ｉビーム）等の親杭１１の上端を、ラフタクレーン２のブーム４に沿って上部シーブ５を介して繰り出されるワイヤ１２の先端に係止して吊り下げ、油圧ジャッキのチャックに挿入し、下端を地面１の目標位置に位置決めして、親杭１１を鉛直に保持する。このとき、親杭１１の下端部付近の一側面を地面１に敷設した敷鉄板１０の側縁に当接させる。また、油圧ジャッキ７のチャック７３は開いている。
【００１９】
その後、図示を省略した送油管によって供給される油圧力によって、チャック７３が閉じて親杭１１を挟持する。図２はその状態を示している。
そして、図示を省略した送油管によってシリンダ７２に送油して油圧ジャッキ７を動作させ、油圧ジャッキ７による親杭１１の地中への圧入を開始する。
【００２０】
このとき、シリンダ７２の動作によってロッド７１が伸びるのに従ってシリンダ７２がリーダ６に沿って徐々に下降し、チャック７３に挟持された親杭１１の圧入が進行する。シリンダ７２が下降限界に達すると、チャック７３を開放して元の位置まで上昇し、そこでチャック７３に親杭１１を再び挟持させた後、シリンダ７２を下降させて親杭１１の圧入を再開する。以後、親杭１１の地中への圧入を完了するまで、この工程を繰り返す。
【００２１】
圧入する親杭が比較的細く、例えば、２００×２００ｍｍのＨ型鋼や２５０×１２５ｍｍのＩビーム位までで、地盤の硬度があまり高くない（例えば、標準貫入試験によるＮ値が１０未満）場合は、上述のように地中に直接圧入することが可能である。
しかし、圧入する親杭が比較的太く、例えば、３００×３００ｍｍのＨ型鋼や４００×２００ｍｍのＩビーム等の場合や、地盤の硬度が高い（例えば、標準貫入試験によるＮ値が１０以上）層がある場合は、地中に直接圧入するのは困難になる。
【００２２】
その場合は、オーガによって地面に略鉛直に先行削孔した後、その削孔に沿って親杭を圧入する。そのため、図１に示したラフタクレーン２によってリーダ６を長手方向の軸線の周りに回転可能に設置し、親杭１１を吊下げる前に、リーダ６を１８０度回転させて、親杭の圧入目標位置にオーガ８の先端を位置決めする。そして、オーガモータ部９がオーガ８を回転させながら下降して地盤に削孔する。その後、オーガ８を逆回転させながら引き上げ、削孔した土を埋め戻す。
【００２３】
なお、上述した標準貫入試験とは、ロッドの先端に取り付けた貫入きりなどのサンプラを地中に貫入し、６３．５ｋｇのハンマを７５ｃｍの高さから自由落下させてロッドを打撃し、各地層に３０ｃｍ貫入させるために必要なハンマの打撃回数（Ｎ値）によって、地盤の硬度等を調べる地盤調査方法である。
【００２４】
〔親杭圧入用補助具の実施形態〕
（１）第１実施形態
図３は、この発明による親杭圧入用補助具の第１実施形態を示す斜視図である。
この図３に示す親杭圧入用補助具２０は、本体部２１と内側駒部２２と地盤圧力受部２３とを備えており、その本体部２１と内側駒部２２及び地盤圧力受部２３がすべて鋼材からなり、一体に固着されている。
【００２５】
本体部２１は、所定の長さと幅及び厚さを有し、長さ方向の先端部２１ａが内側に湾曲している。この実施形態では、所定径の丸棒材を同じ長さに切断した５本の丸棒２１０の各先端部を内側に湾曲させ、径方向に１列に並べて溶接して一体に形成している。
このようにすれば、所望の大きさ及び強度の本体部２１を入手容易な丸棒材によって容易に作製することができる。
【００２６】
内側駒部２２は、本体部２１の長さ方向の中央より先端部２１ａと反対側の基端部２１ｂ寄りの内側の面から突出して幅方向に沿って溶接により固着されている。この実施形態では、直方体のブロック状をなしている。
地盤圧力受部２３は、本体部２１の内側駒部２２の固着位置よりさらに基端部２１ｂ寄りの外側の面から外方に張り出し、幅方向に沿って延びている。この実施形態では、本体部２１の外側の面に溶接されて外方へ延びる支持部２３ａと、その支持部２３ａに長手方向の中央部が固着されて、本体部２１の幅方向に延びる短冊板状の主地盤圧力受部２３ｂとによって構成されている。
【００２７】
さらに、この実施形態では、内側駒部２２の上面にナット状の穴明き金具２４が溶接によって固着されている。この穴明き金具２４は、ワイヤ若しくはチエンを挿通したりフックを引掛けるための金具であり、親杭圧入用補助具２０の設置や引き抜き作業を容易にするために設けている。しかし、地盤圧力受部２３の支持部２３ａにワイヤやチエン等を巻き付けて操作することもできるので、穴明き金具２４を設けることは必須ではない。
【００２８】
（２）第２実施形態
図４は、この発明による親杭圧入用補助具の第２実施形態を示す斜視図である。
この図４に示す親杭圧入用補助具３０も、本体部３１と内側駒部３２と地盤圧力受部３３とを備えており、それらの各部がすべて鋼材からなり、一体に固着されている。
【００２９】
本体部３１は、所定の長さと幅及び厚さを有する一枚の舌状の鉄板からなり、長さ方向の先端部３１ａが円弧状に細くなり内側に湾曲している。
内側駒部３２は、本体部３１の長さ方向の中央より先端部３１ａと反対側の基端部３１ｂ寄りの内側の面から突出して幅方向に沿って溶接により固着されている。この実施形態では、肉厚の円筒状部材であり、本体部３１の幅と同等の長さを有している。円筒状部材に代えて円柱状部材であってもよい。
【００３０】
地盤圧力受部３３は、本体部３１の内側駒部３２の固着位置よりさらに基端部３１ｂ寄りの外側の面から外方に張り出し、幅方向に沿って延びている。この第２実施形態でも、前述した第１実施形態における地盤圧力受部２３と同様に、本体部３１の外側の面に溶接されて外方へ延びる支持部３３ａと、その支持部３３ａに長手方向の中央部が固着されて、本体部３１の幅方向に延びる短冊板状の主地盤圧力受部３３ｂとによって構成されている。
【００３１】
また、この第２実施形態でも、内側駒部３２の外周面の上部にナット状の穴明き金具３４が溶接によって固着されている。
これらの第１、第２実施形態の親杭圧入用補助具２０，３０は、比較的小型であり、比較的細い親杭を地盤に直接圧入する場合に使用する。
その寸法は例えば、本体部２１，３１の長さが２００ｍｍ程度、地盤圧力受部２３，３３の張り出し量が１００ｍｍ程度、主地盤圧力受部２３ｂ，３３ｂの長さが２００mm程度あるいはそれら以下である。
【００３２】
（３）第３実施形態
図５は、この発明による親杭圧入用補助具の第３実施形態を示す斜視図である。
この図５に示す親杭圧入用補助具４０は、本体部４１と内側駒部４２と地盤圧力受部４３とを備えており、それらの各部がすべて鋼材からなり、一体に固着されている。
その各部の構成は第１実施形態の親杭圧入用補助具２０の各部と同様に構成されているが、その寸法が大きく頑丈に造られている。
【００３３】
本体部４１は５本の丸棒４１０を並べて溶接して形成され、内側に湾曲した先端部４１ａと、幾分山形になった基端部４１ｂを有し、その内面にブロック状の内側駒部４２の一番広い側面を溶接して固着している。また、基端部４１ｂの内面にナット状の穴明き金具４４を溶接により固着している。
【００３４】
地盤圧力受部４３は、本体部４１の外面に固着された第１支持部４３ｃと、その第１支持部４３ｃに固着されて外方に張り出した第２支持部４３ｄと、その第２支持部４３ｄに長手方向の中央部が固着されて、本体部４１の幅方向に延びる短冊板状の主地盤圧力受部４３ｂとによって構成されている。
この実施形態では、地盤圧力受部４３の第２支持部４３ｄの上面にも、ナット状の穴明き金具４５が溶接によって固着されている。
【００３５】
（４）第４実施形態
図６は、この発明による親杭圧入用補助具の第４実施形態を示す斜視図である。
この図６に示す親杭圧入用補助具５０は、本体部５１と内側駒部５２と地盤圧力受部５３とを備えており、それらの各部がすべて鋼材からなり、一体に固着されている。
その各部の構成は第３実施形態の親杭圧入用補助具４０の各部と同様に構成されているが、その寸法が幾分小さく造られている。
【００３６】
本体部５１は５本の丸棒５１０を並べて溶接して形成され、内側に湾曲した先端部５１ａと、直線状の基端部５１ｂを有し、その内面にブロック状の内側駒部５２の一側面を溶接して固着している。この実施形態では、本体部５１を構成する各丸棒５１０の先端部５１ａになる部分が先端に行くに従って肉薄になっている。
地盤圧力受部５３は、互いに固着されて本体部５１の外面に固着された第１支持部５３ｃと第２支持部５３ｄ、外方に長く張り出した第２支持部５３ｄに長手方向の中央部が固着されて、本体部５１の幅方向に延びる短冊板状の主地盤圧力受部５３ｂとによって構成されている。
【００３７】
この実施形態では、地盤圧力受部５３の第２支持部５３ｄの上面に、ナット状の穴明き金具５５が溶接によって固着されている。
これらの第３、第４実施形態の親杭圧入用補助具４０，５０は比較的大型であり、比較的太い親杭を地盤に直接圧入する場合、あるいは固い地盤にオーガで先行削孔した後、その削孔に沿って親杭を圧入する場合に使用する。
その寸法は例えば、本体部４１，５１の長さが３００ｍｍ程度、地盤圧力受部４３，５３の張り出し量が２００ｍｍ程度、主地盤圧力受部４３ｂ，５３ｂの長さが３００mm程度あるいはそれら以上である。
【００３８】
図５に示した第３実施形態の親杭圧入用補助具４０が最も大型の例であり、第２実施形態の親杭圧入用補助具３０が最も小型の例であるが、用途に応じて種々のサイズ及び形状に構成することができる。
各本体部は、複数本の丸棒で構成しても、一枚あるいは複数枚の鉄板を重ねて構成してもよい。内側駒部は、直方体のブロックでも、円筒あるいは多角筒若しくは円柱又は多角柱、蒲鉾状、複数個の球状又は半球状など、種々の形状にすることができる。
【００３９】
穴明き金具は、本体部と内側駒部と地盤圧力受部の何れか１か所以上の上部に設けるとよいが、省略してもよい。
鋼材からなる各部を溶接によって一体に固着する例を説明したが、鋳造や鍛造によって一体に形成してもよいし、充分な強度が得られれば、嵌め込みやねじ止め、接着、それらの組み合わせ等によって一体に固着してもよい。
【００４０】
〔親杭圧入用補助具を使用した親杭圧入方法〕
（１）第１の実施形態
図７は、この発明による親杭圧入用補助具を使用する親杭圧入方法の第１の実施形態の工程を示す図である。
この実施形態は、親杭を地盤の硬度があまり高くない（例えば、標準貫入試験によるＮ値が０に近い）地面に直接圧入する場合の例であり、図３によって説明した第１実施形態の親杭圧入用補助具２０を使用するものとする。
【００４１】
図１に示したラフタクレーン２によって、Ｈ型鋼等の親杭１１を鉛直に保持し、図７の（Ａ）に示すように、その下端部１１ａ付近の一側面１１ｂを地面１に敷設した敷鉄板１０の側縁１０ａに当接させて地面１の目標位置に位置決めする。このとき、親杭１１の下端部１１ａが自重によって幾分地中１ａに刺さる。
【００４２】
そこで、親杭１１の下端部１１ａの敷鉄板１０に当接した側面１１ｂと反対側の側面１１ｃ側の下端エッジ部１１ｄに、親杭圧入用補助具２０の本体部２１の湾曲した先端部２１ａの内側の面を当接させて、その先端部２１ａを親杭１１の下端の下側に斜めに挿入する。このように親杭圧入用補助具２０を設置して準備完了である。
このとき、親杭圧入用補助具２０の穴明き金具２４にワイヤ若しくはチエンを通しておくか、それらの先に固着したフックを引っ掛けておくとよい。そして、作業者がそのワイヤ若しくはチエンを手で操作しながら、親杭圧入用補助具２０を足で親杭１１の下端の下側に押し込むように挿入すると、親杭圧入用補助具２０の設置作業を容易に行うことができる。
【００４３】
その後、図２に示した油圧ジャッキ７による親杭１１の地中１ａへの圧入を開始する。それによって図７の（Ｂ）に示すように、親杭１１の矢示Ａ方向への圧入に伴なって、親杭圧入用補助具２０は、本体部２１の先端部２１ａが親杭１１の下端部１１ａに押されて、内側駒部２２が親杭１１の下端エッジ部１１ｄ側の側面１１ｃに当接するように回動しながら引き込まれる。
このとき、親杭圧入用補助具２０の本体部２１は、地盤から矢示Ｂ方向に圧力を受け、内側駒部２２を親杭１１の側面１１ｃに当接させ、親杭１１の側面１１ｂが敷鉄板１０の側縁１０ａから離れないように押圧する。しかし、敷鉄板１０を動かすような力は加わることはない。
【００４４】
その後さらに、図７の（Ｃ）に示すように、親杭圧入用補助具２０は、地盤圧力受部２３が地中１ａの地盤から矢示Ｃで示す上方への圧力を受け、本体部２１の先端部２１ａが親杭１１の下端エッジ部１１ｄから外れて、本体部２１が親杭１１と平行な状態になってその親杭１１の側面１１ｃに内側駒部２２を摺接させながら、それ以上下降せずに親杭１１を敷鉄板１０から離れないように押さえて、傾きが発生するのを防止する。
その際、定規となる敷鉄板１０に加わる圧力を減じ、敷鉄板１０の位置変動を防止することができる。
【００４５】
親杭１１がその後矢示Ａ方向に圧入されても、親杭圧入用補助具２０が地中１ａに引き込まれないのは、内側駒部２２と親杭１１の側面１１ｃとの摺接による引き込み力と、地盤圧力受部２３が地盤から受ける上方への圧力とがバランスするためである。したがって、このバランスをとるように、地盤圧力受部２３の張り出し量及び本体部２１に幅方向に沿う長さを選ぶ必要がある。
【００４６】
親杭１１を所定の深さまで地中１ａに圧入した後、穴明き金具２４に通すかフックを引掛けたワイヤ若しくはチエンを引っ張れば、親杭圧入用補助具２０を簡単に引き抜くことができる。したがって、作業員は同じ親杭圧入用補助具２０を多数の親杭１１の圧入に順次使用して、全ての親杭を傾かずに鉛直に圧入することができる。
【００４７】
（２）第２の実施形態
図８は、この発明による親杭圧入用補助具を使用する親杭圧入方法の第２の実施形態の工程を示す図である。
この実施形態は、親杭を地盤の硬度が比較的高い（例えば、標準貫入試験によるＮ値が１０以上）地面に圧入する場合の例であり、図６によって説明した第４実施形態の親杭圧入用補助具５０を使用するものとする。
図８において、親杭圧入用補助具５０以外に関しては、地質や大きさなどに相違はあるが、図７と対応する部分には同一の符号を付している。また、図８の（Ａ）〜（Ｃ）は、図７の（Ａ）〜（Ｃ）と対応する各工程を示している。
【００４８】
この実施形態では、図１に示したオーガ８によって、地面１の親杭１１を圧入する目標位置に、親杭１１の横断面の外接円よりある程度小さい径の孔１ｂを地面１に略鉛直に地中（地盤）１ａの所定の深さまで先行削孔する。その後、オーガ８を逆回転させながら引き上げ、削孔した土を埋め戻す。
【００４９】
その後、図８の（Ａ）に示すように、図１に示したラフタクレーン２によって、Ｈ型鋼等の親杭１１を鉛直に保持し、その下端部１１ａ付近の一側面１１ｂを地面１に敷設した敷鉄板１０の側縁１０ａに当接させて、地面１の孔１ｂを削孔した目標位置に位置決めする。このとき、親杭１１の下端部１１ａが自重によって幾分地中１ａに刺さる。
【００５０】
そこで、親杭１１の下端部１１ａの他方の側面１１ｃ側の下端エッジ部１１ｄに、親杭圧入用補助具５０の本体部５１の湾曲した先端部５１ａの内側の面を当接させて、その先端部５１ａを親杭１１の下端の下側に斜めに挿入する。このように親杭圧入用補助具５０を設置して準備完了である。
このとき、親杭圧入用補助具５０の穴明き金具５５にワイヤ若しくはチエンを通しておくか、それらの先に固着したフックを引掛けておけば、作業員がそのワイヤ若しくはチエンを手で操作しながら、親杭圧入用補助具５０を足で容易に押し込むことができる。
【００５１】
その後、図２に示した油圧ジャッキ７による親杭１１の地中１ａへの圧入を開始する。それによって図８の（Ｂ）に示すように、親杭１１の矢示Ａ方向への圧入に伴なって、親杭圧入用補助具５０は、本体部５１の先端部５１ａが親杭１１の下端部１１ａに押されて、内側駒部５２が親杭１１の下端エッジ部１１ｄ側の側面１１ｃに当接するように回動しながら引き込まれる。
このとき、親杭圧入用補助具５０の本体部５１は、地盤から矢示Ｂ方向に圧力を受け、内側駒部５２を親杭１１の側面１１ｃに当接させ、親杭１１の側面１１ｂが敷鉄板１０の側縁１０ａから離れないように押圧する。しかし、敷鉄板１０を動かすような力は加わることはない。
【００５２】
その後さらに、図８の（Ｃ）に示すように、親杭圧入用補助具５０は、地盤圧力受部５３が地中１ａの地盤から矢示Ｃで示す上方への圧力を受け、本体部５１の先端部５１ａが親杭１１の下端エッジ部１１ｄから外れて、本体部５１が親杭１１と平行な状態になってその親杭１１の側面１１ｃに内側駒部５２を摺接させながら、それ以上下降せずに親杭１１を敷鉄板１０から離れないように押さえて、傾きが発生するのを防止する。
【００５３】
親杭１１がその後矢示Ａ方向に圧入されても、親杭圧入用補助具５０が地中１ａに引き込まれないのは、内側駒部５２と親杭１１の側面１１ｃとの摺接による引き込み力と、地盤圧力受部５３が地盤から受ける上方への圧力とがバランスするためである。
この場合、親杭圧入用補助具５０の内側駒部５２は親杭１１から第１の実施形態の場合よりも大きな引き込み力を受けるが、大きく張り出した地盤圧力受部５３が地盤からより大きな上方への圧力を受けるためバランスし、親杭圧入用補助具５０が大きく地中１ａに引き込まれることはない。
その他については、第１の実施形態と同様であるから説明を省略する。
【００５４】
（３）まとめ
このように、圧入（打杭）する親杭の種類やサイズ、地盤の質及び先行削孔の要否等の条件に応じて、大小様々な親杭圧入用補助具を選択して最適なものを使用することにより、常に親杭の圧入を安全且つ正確に、見栄えよく高能率で行うことができる。したがって、山留工事の施工能率、安全性、及び完成度等を大幅に向上させることができる。
しかも、この親杭圧入用補助具は、建設現場で容易に入手可能な安価な材料によって簡単に作製することができる。
【００５５】
図４に示した例のように、親杭圧入用補助具の内側駒部を円筒状あるいは円柱状にしたり、蒲鉾状や複数個の球状又は半球状などに形成した場合は、圧入する親杭が複数本の鋼材を溶接して接続したジョイント杭の場合に、盛り上がった溶接部分に内側駒部が引っ掛かって、親杭圧入用補助具が地中に引き込まれるのを防止することができる。
【００５６】
以上、この発明の実施形態について説明してきたが、その実施形態の各部の具体的な形状や材料等の構成及び施工工程等は、そこに記載したものに限るものではない。
また、この発明は上述した実施形態に限定されるものではなく、特許請求の範囲の各請求項に記載された技術的特徴を有する以外は、何ら限定されないことは言うまでもない。
さらに、以上説明してきた各実施形態の構成例、動作例及び変形例等は、適宜変更又は追加したり一部を削除してもよく、相互に矛盾しない限り任意に組み合わせて実施することも可能である。
【符号の説明】
【００５７】
１：地面    １ａ：地中    １ｂ：先行削孔された孔    ２：ラフタクレーン    
３：車両    ４：ブーム    ５：上部シーブ    ６：リーダ    ７：油圧ジャッキ  
８：オーガ    ９：オーガモータ部    １０：敷鉄板（定規）    １１：親杭    
１１ａ：親杭の下端部    １１ｂ：親杭の一側面    １１ｃ：親杭の他側面    
１１ｄ：親杭の下端エッジ部    １２：ワイヤ
２０，３０，４０，５０：親杭圧入用補助具    ２１，３１，４１，５１：本体部    
２２，３２，４２，５２：内側駒部    ２３，３３，４３，５３：地盤圧力受部    
２３ａ，３３ａ：支持部    ２３ｂ，３３ｂ，４３ｂ，５３ｂ：主地盤圧力受部    
４３ｃ，５３ｃ：第１支持部    ４３ｄ，５３ｄ：第２支持部    
２４，３４，４４，４５，５５：穴明き金具    
７１：：ロッド    ７２：シリンダ    ７３：チャック    ７５：取付具
７６，７７：摺動金具    ２１０，４１０，５１０：丸棒
【図１】
2019027106.tif 000003
【図２】
2019027106.tif 000004
【図３】
2019027106.tif 000005
【図４】
2019027106.tif 000006
【図５】
2019027106.tif 000007
【図６】
2019027106.tif 000008
【図７】
2019027106.tif 000009
【図８】
2019027106.tif 000010
【手続補正書】
【提出日】平成29年8月8日(2017.8.8)
【手続補正１】
【補正対象書類名】図面
【補正対象項目名】図６
【補正方法】変更
【補正の内容】
【図６】
2019027106.tif 000011